(57)【要約】      （修正有）【課題】錠剤容器に収容された錠剤の取り出しと、錠剤容器を密閉するための錠剤容器の蓋を提供する。【解決手段】蓋の上部に取付けた、先端を弧状に切り込んだ開口部を備えた錠剤通路８を有する排出筒５と、排出筒５の先端に取付けた、排出筒開口部９の形状に相対した形状の開口部及び排出筒５の錠剤通路全面を覆う形状のパッキング材を配した摺合部１２とを備えた錠剤通路１８を有する操作筒６を回動可能に連結し、操作筒６を上方に回動して排出筒５と操作筒６の錠剤通路８，１８を直線で連通する位置に配置して錠剤２０を取り出し、下方に回動して排出筒５の錠剤通路８を摺合部が覆う位置に配置して錠剤容器を密閉することを特徴とする蓋２を錠剤容器に装着する。【選択図】図３
0003190328.tif 000002
【実用新案登録請求の範囲】
【請求項１】
蓋の上部に取付けられた先端を弧状に切り込んだ開口部を有する排出筒と、排出筒の先端に回動可能に連結された排出筒開口部の形状に相対した形状の開口部及びパッキング材を配した摺合部とを有する操作筒とで構成され、操作筒と排出筒が一直線で配置される位置及び摺合部が排出筒開口部全面を覆う位置に配置されるように操作筒が回動できることを特徴とする錠剤容器の蓋。
【請求項２】
パッキング材を摺合部に代えて排出筒開口部に配した請求項１の錠剤容器の蓋。
【考案の詳細な説明】
【技術分野】
【０００１】  本考案は、錠剤容器に収容された錠剤の取り出しと、錠剤容器を密閉するための錠剤容器の蓋に関する。
【背景技術】
【０００２】  容器に収容された医薬品などの錠剤は、湿気などによる変質を防ぐため容器の開口部と蓋の間にゴムなどのパッキング材を挟み、蓋を閉めることで外気と遮断して密閉する構造であり、通常、この容器から錠剤を取り出す場合は、容器に嵌め込んである蓋を外し容器を傾けて取り出し、容器を密閉する場合は、外した蓋を嵌め込んで強く締めることにより密閉する構造であり、錠剤の取出しと、取り出した後の容器の密閉は常に蓋の開閉を伴う煩雑な作業の繰り返しが必要であり、この点を解消するための錠剤容器の蓋などは、例えば特許文献１のように、容器本体の口部に口栓が取付けられ、口栓には錠剤取り出し用の取出口が形成され、口栓の上面側には開閉蓋が回動自在に装着されているとともに、開閉蓋の下面側には開閉蓋が口栓の上面に接触して取出口を閉塞しているときには容器本体の内部に臨出し、開閉蓋が上向きに回動する際には容器本体の外部に突出し、錠剤を保持して取り出すことのできる保持体が形成されて構成されているものがある。
【先行技術文献】
【特許文献】
【０００３】
【特許文献１】  特開２００４−２６９０１２
【考案の概要】
【考案が解決しようとする課題】
【０００４】  特許文献１については、口栓の上面側に取付けられた開閉蓋の回動により錠剤を取り出す構造で、錠剤の取り出し作業は、錠剤容器を下向きに傾けて錠剤を一端空間部内に取り込んで開閉蓋を回動させて取り出し、錠剤容器の密閉作業は、口栓に取付けられた軟質合成樹脂製のパッキンにより口栓前面を覆う開閉蓋を閉じることにより保つこととしており、容器の蓋の開閉作業を伴わずに錠剤の取り出しと、容器の密閉ができるが、錠剤の取り出し作業が煩雑であり、また、構造が複雑且つ緻密なため製造コストが嵩み、加えて、口栓を覆う開閉蓋の面積が広く、しかも開閉蓋を押える押力が弱いため錠剤容器の密閉が保ちにくい構造となっている。
【課題を解決するための手段】
【０００５】  本考案は、上述の課題を解決するための錠剤容器の蓋に関するもので、蓋の特徴は、蓋の上部に取付けられた先端を弧状に切り込んだ開口部を有する排出筒と、排出筒の先端に回動可能に連結された排出筒開口部の形状に相対した形状の開口部及びパッキング材を配した摺合部とを有する操作筒とで構成され、操作筒と排出筒が一直線で配置される位置及び摺合部が排出筒開口部全面を覆う位置に配置されるように操作筒が回動できることを特徴とする。【０００６】  なお、パッキング材を摺合部に代えて排出筒開口部断面に配してもかまわない。
【考案の効果】
【０００７】  本考案は、この蓋を錠剤容器に装着したまま、錠剤容器の蓋の開閉作業を伴わず、排出筒に連結された操作筒を指で上下に回動する簡単な作業で錠剤容器に収容された錠剤の取り出しと錠剤容器の密閉が可能となるため取り扱いが極めて容易であり、また、構造が簡単で部品点数が少ないため製造コストを低く抑えることができ、加えて、排出筒開口部の面積が狭小なため、摺合部による密閉が容易で且つ高い気密度を確保できる。
【図面の簡単な説明】
【０００８】
【図１】蓋の平面図
【図２】蓋を錠剤容器に装着した斜視図
【図３】錠剤取り出し状態を示すａ−ａ断面図
【図４】密閉状態を示すａ−ａ断面図
【考案を実施するための形態】
【０００９】  以下、本考案の実施形態について図面に基づいて説明する。図２は蓋２を錠剤容器１に装着した斜視図を示す。
【００１０】  本実施形態の蓋２は、図１乃至図４に示すように、蓋２の上部から横向きに突出して排出筒５が設けられ、図１及び図２に示すように排出筒５の先端には、操作筒６が突起部１７を支点に上下に回動するように連結された構造となっている。
【００１１】  蓋２は合成樹脂製で、図３及び図４に示すように錠剤容器１に設けられた雄ねじ３に相対した雌ねじ４が設けられている。
【００１２】  排出筒５は、蓋２と一体で形成された合成樹脂製で、図３及び図４に示すように錠剤２０が一列で円滑に通過可能な幅と高さで形成された排出筒の錠剤通路８が、錠剤容器１内から容器外に連通して設けられた筒状の形状で、図２乃至図４に示すように、先端には、排出筒５の筒の高さに相当する長さを底辺にした二等辺三角形の頂点を中心点とした円の４分の１の円周で凹型に形成した排出筒開口部９が設けられている。
【００１３】  また、図１及び図２に示すように排出筒開口部９の両側面から突出して操作筒６の両側面を挟む幅の袖部１０が設けられている。
【００１４】  さらに、図１及び図２に示すように袖部１０の両面の中心線上には、排出筒開口部９中央から先端側の、排出筒５の筒の高さに相当する長さを底辺にした二等辺三角形の頂点に相当する位置の近傍に、袖部の穴７が設けられている。
【００１５】  操作筒６は合成樹脂製で、図３及び図４に示すように錠剤２０が一列で円滑に通過可能な高さと幅で形成された操作筒の錠剤通路１８が貫通した筒状の形状で、一端には排出筒開口部９の形状に相対した凸型の操作筒開口部１１が設けられている。
【００１６】  また、操作筒６には、図２乃至図４に示すように排出筒開口部９の形状に相対した凸型の形状で、凸部に排出筒開口部９断面の全面を覆う大きさの軟質合成樹脂製のパッキング材を配した合成樹脂製の摺合部１２が、操作筒開口部１１下端から連続して操作筒開口部１１と合わせて半円形を形成するように設けられている。
【００１７】  なお、摺合部１２は、全体を軟質合成樹脂製のパッキング材で形成してもかまわない。
【００１８】  さらに、操作筒６の両側面の中心線上には、図１及び図２に示すよう操作筒開口部１１中央から先端側の、排出筒５の筒の高さに相当する長さを底辺にした二等辺三角形の頂点に相当する位置の近傍に、外側に向けて突起部１７が設けられている。
【００１９】  なお、図１乃至図４に示すように操作筒開口部１１上面には止め片１３が設けられている。
【００２０】  排出筒５と操作筒６は、図２に示すように排出筒開口部９と操作筒開口部１１の凹凸を合わせて、排出筒の錠剤通路８と操作筒の錠剤通路１８が直線で連通する位置で、操作筒６が回動自在になるように袖部の穴７に突起部１７を嵌め込んで連結されている。
【００２１】  なお、図２に示すように操作筒６の下面にはフック１４及びフック解除釦１６が設けられ、蓋２の下部にはフック１４に相対したフック受１５が設けられている。
【００２２】  上記の構成からなる蓋２を装着した錠剤容器１から錠剤２０を取り出す場合は、フック解除釦１６を操作してフック１４を外した後、図３に示すように指などで操作筒６を止め片１３に接するまで上方に回動して排出筒の錠剤通路８と操作筒の錠剤通路１８が直線で連通するよう配置した後、錠剤容器１を傾けて手のひらなどに取り出す。
【００２３】  また、錠剤容器１を密閉する場合は、図４に示すように操作筒６を指などで下方に回動して、摺合部１２が排出筒開口部９全面を覆う位置に配置した状態でフック１４をフック受１５に嵌め込んで固定する。
【００２４】  なお、操作筒６に錠剤２０の排出を制御する機構を組み込んでもかまわない。
【符号の説明】
【００２５】１錠剤容器
２蓋
３雄ねじ
４雌ねじ
５排出筒
６操作筒
７袖部の穴
８排出筒の錠剤通路
９排出筒開口部
１０袖部
１１操作筒開口部
１２摺合部
１３止め片
１４フック
１５フック受
１６フック解除釦
１７突起部
１８操作筒の錠剤通路
２０錠剤
【図１】
0003190328.tif 000003
【図２】
0003190328.tif 000004
【図３】
0003190328.tif 000005
【図４】
0003190328.tif 000006